(57)【要約】      （修正有）【課題】肥沃な土壌に高品質の野菜、果物、花卉等が栽培されているが、長期に亘る連作障害及び化学肥料の大量投与、薬剤の散布等による地力低下、収量減少、残留農薬問題等が生じている。就中、モントリオール議定書によりこれ迄使い勝手の良かった臭化メチル剤が２００５年迄には全面的に使用禁止となるので、今後の対策が緊急の課題である。本申請は薬剤によらずに土壌を加熱消毒する方法を提案するものである。【解決手段】土壌かき寄せ用フィン付きの回転ドラム１及び同軸に半円形二重壁構造の加熱外套２並びにそれらの昇降機構を台車に搭載し、圃場を自走しながら表層土壌を必要な深さまでかき込み、灯油燃焼の高温ガスにより加熱室内で所期の温度まで加熱し、再び畝上へ戻す装置「自走式土壌加熱消毒機」を開発し、色々な使用条件に応ずることが出来、地球環境の保護に資する。【選択図】図４
2006223279.tif 000002
【特許請求の範囲】
【請求項１】
本装置は「共通台車〔１４〕上に土壌かき寄せ用のフィン付き回転ドラム〔１〕及び同軸に燃焼器（２連）付きの半円形二重壁構造の加熱外套〔２〕並びにそれらの昇降機構を搭載し、更に運転速度制御用インバーター〔１１〕を組み込み、圃場上を自走する装置」。
【請求項２】
本発明は回転ドラム〔１〕と同軸上の半円形二重壁構造の加熱外套〔２〕との間隙は土壌の加熱室〔６〕で、駆動装置により回転ドラム〔１〕を進行方向とは逆方向に回転させ、かき寄せられた土壌はかき込み口〔５〕から加熱室〔６〕を経て及び排土口〔７〕に至るまで高温の火炎が直接土壌に接触せずに間接加熱されるが、昇降機構及び運転速度制御用インバーター〔１１〕操作により使用者の必要に従ってかき込み土壌の量、消毒深度、加熱消毒時間、作業全体時間を幾通りも選択出来、その結果昇温にムラを生ずることなく、所期の温度に達した土壌は後方に排出される。更に土壌中の珪素分にガラス化等の悪影響を与えずに処理することを可能とする方法。
【発明の詳細な説明】
【技術分野】
【０００１】  本発明は、農業用の各種機械・装置の中でも作物に被害を与える細菌・害虫類の物理的駆除に属する機械装置並びに本装置を用いた土壌の加熱消毒法である。
【背景技術】
【０００２】  最近農業関係者の間で農地の土壌荒廃の問題が論議を呼んでいる。第二次大戦後の農業経営が、化学肥料の長年月大量投与、除草剤・殺虫剤の長期散布、農耕機械化等々を主軸とした結果、夫々一定の成果を挙げてきたものの、殊に畑作においては▲１▼表土が痩せ（好ましからざるバクテリヤ・線虫の異常発生、酸素不足、酸性化等）、▲２▼作物収量が逓減気味、▲３▼品質も見掛けほどではない等の難問題が生じ、また、農薬の食品中への残留や水質その他環境への影響についても社会的な関心が高まり、二次被害を伴わぬ解決策が模索されている。【０００３】  前述の諸問題解決のため、これまで専門家、非専門家が色々と提案を出しており、薬剤としては最近は臭化メチル等の薬剤散布・注入がかなり普及してはいるが、モントリオール議定書により２００５年迄には全面的に禁止となるので新たな解決方法の確立が急務となっている。
【特許文献１】  特開２００１−３５３２０５    公開特許公報
【特許文献２】  昭４２−５９８７              実用新案公報
【発明の開示】
【発明が解決しようとする課題】
【０００４】  代替措置として前記薬剤の他、対抗植物（マリーゴールド、ヘイオーツ等）の栽培、表土加熱処理（蒸気消毒、太陽熱土壌消毒、かん水陽熱処理、熱水土壌消毒）が有力な対策として登場している（農水省からの開発補助金を得て改良・利用法の開発が進行中の模様）が最終解決に至る技術は確立されていない。【０００５】  前述の農業関係者中、畑作農家が渇望している栽培条件の低下した野菜畑、温室（ハウス）土壌、果樹園等の地力回復，線虫、フザリウム等の防除を期して、農薬のみに依存した防除ではなく、生物的防除を踏まえ、就中、物理的防除に繋がる有効且つ経済的な土壌加熱消毒機を開発することにより、それらを組み合わせた総合的防除を推進することが重要であるとの認識が関係方面で叫ばれており、そう言ったことを早急に普及させることである。
【課題を解決するための手段】
【０００６】  本発明は上記目的を達成するために圃場を移動しながら、表層土壌を連続的に加熱室〔６〕に導き、回転ドラム〔１〕が半回転する間に加熱処理して表層土壌約２０ｃｍ程度の深度までに棲息する害虫類のうち主としてその数種（例えばセンチュウ類）やフザリウムなどの病原菌を駆除・死滅させる。上記のためには処理土壌の温度を数十分間約６０℃を保持する必要がある。【０００７】  この土壌加熱消毒機の主要部分はフィン〔３〕のついた回転ドラム〔１〕、半円形二重壁構造の加熱外套〔２〕及び運転機構で、進行方向前部からかき入れられた表層土壌は熱風乃至火炎に直接触れず、加熱室〔６〕内で言わば蒸し焼き状態となって消毒され、後方の排土口〔７〕より排出され、畝上に戻されることを特徴とする。【０００８】  灯油燃焼による高温ガスは燃焼ガス入口〔４〕から半円形二重壁構造の加熱外套〔２〕及び回転ドラム〔１〕に導かれ、かき寄せられた土壌を加熱するので、土壌中の珪素分がガラス状化する恐れのある特開２００１−３５３２０５及び昭４２−５９８７で申請した火炎直接放射方式と較べ安全であり、作業時間は短く、コスト的にも十分対抗出来ると判断している。又、環境に対してもＮＯＸ・ＳＯＸ発生は無いため、公害問題の心配はない。
【発明の効果】
【０００９】  本発明は別図の構造となっており、下記の通りの効果がある。このことは実験機によって実証されている。農家が求めている肥沃な土壌とは、有用な微生物、菌類、虫類、小動物が存在する土壌である。（土壌加熱消毒の結果全ての菌類、虫類、種子等が死滅しては耕作上不都合）好都合なことに本装置は圃場や温室内で一定の深さまでの表層土壌を加熱することに限られるので、効果が及ぶのは駆除を必要とする線虫、フザリウム菌等に限定され、不処理土壌中の有用な生物には熱の影響は少なく地力維持に適切である。【００１０】  本装置が対象とする圃場は、主として温室（ハウス）及び野菜畑である。その土壌温度は冬季には約０〜１５℃、夏季には約１０〜２５℃と地域により差異があるが、本装置を使用することにより加熱後の土壌温度を５０〜６０℃に上昇させることが可能であり、処理後も数十分にわたり近似温度を保持可能である。
【発明の実施するための最良の形態】
【００１１】  共通台車〔１４〕上に土壌加熱のための回転ドラム〔１〕及び半円形二重壁構造の加熱外套〔２〕を搭載し、前後に自走用の車輪を取り付ける。回転ドラム〔１〕は土壌を間接加熱しながら駆動軸の約１２倍の周速度で回転する。
【００１２】  熱源は灯油を使用し、燃焼ガスの必要熱量（カロリー）は土壌の性質により異なるので各々の土壌温度上昇の調整は稼働時に本装置の進行速度の緩急、昇降装置によってかき込まれた土壌の量と灯油の噴射量の増減調整により行う。
【００１３】  作付け作物によっては要加熱消毒の土壌深度は１０ｃｍ〜２０ｃｍと一様ではないが本機搭載の昇降装置の上下作動により複数の深度に速やかに対応することが可能である。
【００１４】  この昇降装置の上下運動はブレーキ付きモーター〔２０〕により昇降用共通軸〔２１〕、ウオームギヤー〔２２〕、昇降用ネジシャフト〔２３〕、スライドギヤー〔２４〕の作動を介して行われる。
【００１５】  自走開始後、高温の燃焼ガスにより加熱された回転ドラム外側フィン〔３〕により供給された土壌はかき込み口〔５〕で余熱され、次いで加熱された加熱室〔６〕を通過することにより所期の温度迄上昇する。因みに加熱室内はほぼ６００℃前後の高温に達する。更に加熱消毒された土壌は加熱室〔６〕の排熱で高温を維持しながら排土口〔７〕より畝上に排出される。
【００１６】  本装置の走行速度及び回転ドラム〔１〕の回転速度は配電操作盤〔１７〕内のインバーター〔１１〕内により高速・低速の２段階に調整することが出来る。
【図面の簡単な説明】
【００１７】
【図１】  本発明の平面図である。
【図２】  本発明の側面図である。
【図３】  本発明の断面図である。
【図４】  本発明の加熱消毒機構説明図である。
【図５】  本発明の昇降機構図である。
【符号の説明】
【００１８】  〔１〕  回転ドラム
〔２〕  半円形加熱外套（二重壁）
〔３〕  かき寄せフイン
〔４〕  燃焼ガス入口
〔５〕  土壌かき込み口
〔６〕  加熱室
〔７〕  排土口
〔８〕  発電機
〔９〕  走行用モーター
〔１０〕  回転ドラム用モーター
〔１１〕  インバーター
〔１２〕  スプロケットホイール
〔１３〕  チェン
〔１４〕  共通台車
〔１５〕  駆動輪
〔１６〕  従動輪
〔１７〕  配電操作盤
〔１８〕  燃料タンク
〔１９〕  燃焼器（２連）
〔２０〕  ブレーキ付きモーター
〔２１〕  昇降用共通軸
〔２２〕  ウオームギヤー
〔２３〕  昇降用ネジシャフト
〔２４〕  スライドギヤー
【図１】
2006223279.tif 000003
【図２】
2006223279.tif 000004
【図３】
2006223279.tif 000005
【図４】
2006223279.tif 000006
【図５】
2006223279.tif 000007